(57)【要約】【課題】電池の膨張を考慮したクリアランスを確保するとともに、小型化に対応することができる携帯端末を提供することを目的とする。【解決手段】携帯電話機１は、表側に表示用凹部３を有する表側キャビネット４と、表側キャビネット４と一体的に形成され、表示用凹部３のの裏側に配置された電池収容部１０を有する金属板１３と、表示用凹部３に嵌め込まれた表示パネル２と、電池収容部１０の表側表面１０ａに設けられた接着剤層３０と、接着剤層３０によって金属板１３に貼り付けられることにより、電池収容部１０に収容され、表示パネル２と金属板１３との間に配置された電池２０とを備える。電池収容部１０は、平面視において、電池２０と重なるように形成された開口部１９を有し、接着剤層３０は、平面視において、電池２０及び開口部１９と重なるように形成された開口部１７を有する。【選択図】図２
2014017719.tif 000002
【特許請求の範囲】
【請求項１】
表側に表示用凹部を有するキャビネットと、
前記キャビネットと一体的に形成され、前記表示用凹部の裏側に配置された電池収容部を有する金属板と、
前記表示用凹部に嵌め込まれた表示パネルと、
前記電池収容部の表側表面に設けられた接着剤層と、
前記接着剤層によって前記金属板に貼り付けられることにより、前記電池収容部に収容され、前記表示パネルと前記金属板との間に配置された電池と
を備え、
前記電池収容部は、平面視において、前記電池と重なるように形成された開口部を有し、前記接着剤層は、平面視において、前記電池及び前記開口部と重なるように形成された他の開口部を有することを特徴とする携帯端末。
【請求項２】
前記電池の、前記金属板側の表面の中央部分が露出するように、前記開口部と前記他の開口部とが形成されていることを特徴とする請求項１に記載の携帯端末。
【請求項３】
前記接着剤層が両面テープであることを特徴とする請求項１または請求項２に記載の携帯端末。
【請求項４】
表側に表示用凹部を有するキャビネットと、
前記キャビネットと一体的に形成され、前記表示用凹部の裏側に配置された電池用凹部を有する金属板と、
前記表示用凹部に嵌め込まれた表示パネルと、
前記電池用凹部に嵌め込まれるとともに、前記表示パネルと前記金属板との間に配置された電池と
を備え、
前記電池用凹部は、平面視において、前記電池と重なるように形成された開口部を有することを特徴とする携帯端末。
【請求項５】
前記電池の、前記金属板側の表面の中央部分が露出するように、前記開口部が形成されていることを特徴とする請求項４に記載の携帯端末。
【請求項６】
前記電池用凹部の表側表面に、平面視において、前記電池及び前記開口部と重なるように形成された他の開口部を有する接着剤層が設けられ、
前記電池は、前記接着剤層によって前記金属板に貼り付けられることにより、前記電池用凹部に嵌め込まれていることを特徴とする請求項４または請求項５に記載の携帯端末。
【請求項７】
前記電池の、前記金属板側の表面の中央部分が露出するように、前記他の開口部が形成されていることを特徴とする請求項６に記載の携帯端末。
【請求項８】
前記接着剤層が両面テープであることを特徴とする請求項６または請求項７に記載の携帯端末。
【請求項９】
前記表示パネルが、液晶表示パネルまたは有機ＥＬ表示パネルであることを特徴とする請求項１〜請求項８のいずれか１項に記載の携帯端末。
【請求項１０】
前記保護パネルが、タッチパネルであることを特徴とする請求項１〜請求項９のいずれか１項に記載の携帯端末。
【発明の詳細な説明】
【技術分野】
【０００１】
本発明は、表示パネルを有する携帯端末に関し、特に、大型の電池を備える携帯端末に関するものである。
【背景技術】
【０００２】
従来、携帯電話機に代表される携帯端末は、軽量化の観点から、ポリカーボネート樹脂等の樹脂により形成されたキャビネットが使用されているため、例えば、誤って、携帯端末を落下させた場合に、キャビネットが破損しやすいという問題があった。
【０００３】
そこで、携帯端末の剛性を向上させるべく、キャビネットと一体的に形成された金属板を備えた携帯端末が提案されている。
【０００４】
より具体的には、例えば、携帯端末の剛性を向上するための金属板を備えた表側キャビネットと、回路基板及び電池が収容され、表側キャビネットに接合される裏側キャビネットとを備えた携帯電話機が開示されている。そして、この携帯端末では、表側キャビネットの金属板と裏側キャビネットの間に、回路基板と電池が配置される構成となっている（例えば、特許文献１参照）。
【先行技術文献】
【特許文献】
【０００５】
【特許文献１】特開２０１２−７５１５４号公報
【発明の概要】
【発明が解決しようとする課題】
【０００６】
ここで、電池を表示パネルの裏側に配置した場合、繰り返し行われる充放電に起因して電池が膨張すると、膨張した電池により表示パネルが突き上げられてしまい、表示パネルに滲み模様が発生したり、携帯電話機が変形してしまうという問題があった。
【０００７】
また、このような電池の膨張に起因する滲み模様や変形の発生を防止するために、表示パネルと電池とのクリアランスを大きくすることも考えられるが、表示パネルと電池とのクリアランスを大きくすると、クリアランスに比例して携帯端末の厚みが大きくなるため、小型化（薄型化）に対応することが困難になるという問題があった。
【０００８】
そこで、本発明は、上述の問題に鑑みてなされたものであり、電池の膨張を考慮したクリアランスを確保するとともに、小型化に対応することができる携帯端末を提供することを目的とする。
【課題を解決するための手段】
【０００９】
上記目的を達成するために、本発明の第１の携帯端末は、表側に表示用凹部を有するキャビネットと、キャビネットと一体的に形成され、表示用凹部の裏側に配置された電池収容部を有する金属板と、表示用凹部に嵌め込まれた表示パネルと、電池収容部の表側表面に設けられた接着剤層と、接着剤層によって金属板に貼り付けられることにより、電池収容部に収容され、表示パネルと金属板との間に配置された電池とを備え、電池収容部は、平面視において、電池と重なるように形成された開口部を有し、接着剤層は、平面視において、電池及び開口部と重なるように形成された他の開口部を有することを特徴とする。
【００１０】
同構成によれば、電池を表示パネルの裏側に配置し、充放電に起因して電池が膨張した場合であっても、電池収容部の開口部、及び接着剤層の他の開口部において、電池の膨張を吸収（即ち、電池の膨張した部分を開口部内及び他の開口部内に収容）することが可能になる。従って、電池を表示パネルの裏側に配置し、充放電に起因して電池が膨張した場合であっても、表示パネルと電池とのクリアランスを確保することができるため、膨張した電池により表示パネルが突き上げられるという不都合を防止することができる。その結果、電池の膨張に起因する、表示パネルにおける滲み模様の発生、及び携帯端末の変形を防止することが可能になる。
【００１１】
また、電池の膨張に起因する滲み模様や変形の発生を防止するために、表示パネルと電池とのクリアランスを大きくする必要がなくなるため、携帯端末の厚みが大きくなるという不都合を防止できる。その結果、小型化に対応することできる携帯端末を提供することが可能になる。
【００１２】
本発明の第１の携帯端末においては、電池の、金属板側の表面の中央部分が露出するように、開口部と他の開口部とが形成されていてもよい。
【００１３】
同構成によれば、開口部と他の開口部とにより、充放電に起因して電池が最も膨張する部分を露出させることができるため、膨張した電池により表示パネルが突き上げられるという不都合の発生をより一層防止することができる。
【００１４】
本発明の第１の携帯端末においては、接着剤層が両面テープであってもよい。
【００１５】
同構成によれば、簡単な構成により、電池収容部に電池を設けることが可能になる。
【００１６】
本発明の第２の携帯端末は、表側に表示用凹部を有するキャビネットと、キャビネットと一体的に形成され、表示用凹部の裏側に配置された電池用凹部を有する金属板と、表示用凹部に嵌め込まれた表示パネルと、電池用凹部に嵌め込まれるとともに、表示パネルと金属板との間に配置された電池とを備え、電池用凹部は、平面視において、電池と重なるように形成された開口部を有することを特徴とする。
【００１７】
同構成によれば、電池を表示パネルの裏側に配置し、充放電に起因して電池が膨張した場合であっても、電池用凹部の開口部において、電池の膨張を吸収（即ち、電池の膨張した部分を開口部内に収容）することが可能になる。従って、電池を表示パネルの裏側に配置し、充放電に起因して電池が膨張した場合であっても、表示パネルと電池とのクリアランスを確保することができるため、膨張した電池により表示パネルが突き上げられるという不都合を防止することができる。その結果、電池の膨張に起因する、表示パネルにおける滲み模様の発生、及び携帯端末の変形を防止することが可能になる。
【００１８】
また、電池の膨張に起因する滲み模様や変形の発生を防止するために、表示パネルと電池とのクリアランスを大きくする必要がなくなるため、携帯端末の厚みが大きくなるという不都合を防止できる。その結果、小型化に対応することできる携帯端末を提供することが可能になる。
【００１９】
本発明の第２の携帯端末においては、電池の、金属板側の表面の中央部分が露出するように、開口部が形成されていてもよい。
【００２０】
同構成によれば、開口部により、充放電に起因して電池が最も膨張する部分を露出させることができるため、膨張した電池により表示パネルが突き上げられるという不都合の発生をより一層防止することができる。
【００２１】
本発明の第２の携帯端末においては、電池用凹部の表側表面に、平面視において、電池及び開口部と重なるように形成された他の開口部を有する接着剤層が設けられ、電池は、接着剤層によって金属板に貼り付けられることにより、電池用凹部に嵌め込まれていてもよい。
【００２２】
同構成によれば、開口部と他の開口部とにより、電池の膨張を吸収（即ち、電池の膨張した部分を開口部内及び他の開口部内に収容）することが可能になる。その結果、電池の膨張に起因する、表示パネルにおける滲み模様の発生、及び携帯端末の変形をより一層防止することが可能になる。
【００２３】
本発明の第２の携帯端末においては、電池の、金属板側の表面の中央部分が露出するように、他の開口部が形成されていてもよい。
【００２４】
同構成によれば、他の開口部により、充放電に起因して電池が最も膨張する部分を露出させることができるため、膨張した電池により表示パネルが突き上げられるという不都合の発生をより一層防止することができる。
【００２５】
本発明の第２の携帯端末においては、接着剤層が両面テープであってもよい。
【００２６】
同構成によれば、簡単な構成により、電池用凹部に電池を設けることが可能になる。
【００２７】
また、本発明の携帯端末においては、電池の膨張に起因する、表示パネルにおける滲み模様の発生、及び携帯端末の変形を防止することができるとともに、小型化に対応することできるという優れた特性を備えている。従って、本発明は、表示パネルが、液晶表示パネルまたは有機ＥＬ表示パネルである携帯端末や、保護パネルが、タッチパネルである携帯端末に好適に使用できる。
【発明の効果】
【００２８】
本発明によれば、電池の膨張に起因する、表示パネルにおける滲み模様の発生、及び携帯端末の変形を防止することができ、小型化に対応することできる携帯端末を提供することができる。
【図面の簡単な説明】
【００２９】
【図１】本発明の第１の実施形態に係る携帯電話機の平面図である。
【図２】図１のＡ−Ａ断面図である。
【図３】本発明の第１の実施形態に係る携帯電話機における電池の配置を説明するための分解斜視図である。
【図４】本発明の第１の実施形態に係る携帯電話機において使用される表示パネルを説明するための断面図である。
【図５】本発明の第１の実施形態に係る携帯電話機における電池と接着剤層と金属板の位置関係を説明するための平面図である。
【図６】本発明の第２の実施形態に係る携帯電話機の平面図である。
【図７】図６のＢ−Ｂ断面図である。
【図８】本発明の第２の実施形態に係る携帯電話機における電池の配置を説明するための分解斜視図である。
【図９】本発明の第２の実施形態に係る携帯電話機における電池と金属板の位置関係を説明するための平面図である。
【図１０】本発明の変形例に係る携帯電話機の断面図である。
【図１１】本発明の変形例に係る携帯電話機における電池と金属板の位置関係を説明するための平面図である。
【発明を実施するための形態】
【００３０】
以下、本発明の実施形態を図面に基づいて詳細に説明する。尚、本発明は、以下の実施形態に限定されるものではない。
【００３１】
（第１の実施形態）
図１は、本発明の第１の実施形態に係る携帯電話機の平面図であり、図２は、図１のＡ−Ａ断面図である。また、図３は、本発明の第１の実施形態に係る携帯電話機における電池の配置を説明するための分解斜視図であり、図４は、本発明の第１の実施形態に係る携帯電話機において使用される表示パネルを説明するための断面図である。また、図５は、本発明の第１の実施形態に係る携帯電話機における電池と接着剤層と金属板の位置関係を説明するための平面図である。
【００３２】
本実施形態の携帯電話機１は、タッチパネル付携帯端末であり、図１、図２に示すように、表示パネル２と、表示パネル２の表側（図２に示す矢印Ｘ側であって、携帯電話機１の表示側）に、表示パネル２を収容するための表示用凹部３を有する表側キャビネット４と、矩形板状の電池２０と、矩形板状の回路基板５と、この回路基板５を収容する矩形皿状の裏側キャビネット６とを備えている。
【００３３】
また、図１、図２に示すように、携帯電話機１は、例えば、複数の画素等で構成される表示領域Ｄと、表示領域Ｄの周辺に設けられた額縁領域Ｆとを備えている。
【００３４】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００３５】
また、本実施形態においては、図２に示すように、表側キャビネット４と裏側キャビネット６には、額縁領域Ｆにおいて、互いに嵌合するように凹凸が形成されており、表側キャビネット４と裏側キャビネット６とが嵌合した状態で、ネジ等を使用して締結することにより、表側キャビネット４に裏側キャビネット６が取り付けられる構成となっている。
【００３６】
また、本実施形態においては、図２に示すように、回路基板５を収容する裏側キャビネット６を覆うカバー２１が設けられている。
【００３７】
表側キャビネット４、裏側キャビネット６、及びカバー２１は、例えば、ポリカーボネート樹脂、ＡＢＳ樹脂、ポリアミド樹脂等の樹脂や、これらの樹脂とガラスフィラーの混合物により形成されている。
【００３８】
また、表側キャビネット４は、表側キャビネット４を形成する樹脂と一体的に形成された金属板１３を備えている。この金属板１３は、携帯電話機１の剛性を向上させるためのものである。
【００３９】
なお、この金属板１３は、安価かつ汎用性のある材料により、携帯電話機１の剛性を向上させるとの観点から、例えば、ステンレス（例えば、ＳＵＳ３０４）、アルミニウム、及びマグネシウム等の金属により形成されており、これらの金属のうち、耐久性及び強度が高いステンレスを使用することが好ましい。
【００４０】
また、本実施形態においては、図２に示すように、回路基板５は、金属板１３の裏側（図２に示す矢印Ｙ側であって、携帯電話機１の表示側と反対側）に配置されている。
【００４１】
この回路基板５は、図３に示すように、基板５ａと、この基板５ａに取り付けられた複数の回路部品５ｂとにより構成されている。
【００４２】
また、本実施形態における表示パネル２としては、例えば、液晶表示パネルや有機ＥＬ表示パネル等を使用することができる。
【００４３】
表示パネル２として、液晶表示パネルを使用する場合は、例えば、図４に示すように、ＴＦＴ基板２２と、ＴＦＴ基板２２に対向して配置されたＣＦ基板２３と、ＴＦＴ基板２２及びＣＦ基板２３の間に挟持して設けられた表示媒体層である液晶層２４と、ＴＦＴ基板２２とＣＦ基板２３との間に狭持され、ＴＦＴ基板２２及びＣＦ基板２３を互いに接着するとともに液晶層２４を封入するために枠状に設けられたシール材２５とを備えたものが使用できる。
【００４４】
このシール材２５は、液晶層２４を周回するように形成されており、ＴＦＴ基板２２とＣＦ基板２３は、このシール材２５を介して相互に貼り合わされている。
【００４５】
また、図２に示すように、表示パネル２は、タッチパネル８の裏側表面８ａに設けられた両面テープ１８により、タッチパネル８に貼り付けられている。
【００４６】
また、本実施形態においては、図２、図３に示すように、金属板１３が、表示用凹部３の裏側に配置された電池収容部１０を有するとともに、電池２０が電池収容部１０に収容され、表示パネル２と金属板１３との間に電池２０が配置されている。
【００４７】
従って、金属板１３の裏側に配置され、裏側キャビネット６に収容された回路基板５とは異なる空間（即ち、電池収容部１０）に電池２０が配置されるため、回路基板５に起因して電池２０のサイズに制約が生じることがなくなり、大型の電池２０を収容することが可能になる。その結果、高速処理化に対応することができる携帯電話機１を提供することが可能になる。
【００４８】
なお、電池収容部１０の表側表面（即ち、図２に示す矢印Ｘ側の表面であって、携帯電話機１の表示側の表面）１０ａには、接着剤層である両面テープ３０が設けられており、電池２０は、この両面テープ３０により、金属板１３に貼り付けられている。
【００４９】
ここで、本実施形態においては、図２、図３に示すように、両面テープ３０に開口部１７が形成されている点に特徴がある。
【００５０】
より具体的には、図２、図３に示すように、金属板１３と電池２０との間に設けられた両面テープ３０に開口部１７が形成され、図５に示すように、平面視において、開口部１７が、電池２０と重なるように配置されている。
【００５１】
また、本実施形態においては、図２、図３に示すように、金属板１３の電池収容部１０に開口部１９が形成されており、図５に示すように、平面視において、開口部１９が、両面テープ３０の開口部１７、及び電池２０と重なるように配置されている点に特徴がある。
【００５２】
このような構成により、電池２０を表示パネル２の裏側に配置し、充放電に起因して電池２０が膨張した場合であっても、両面テープ３０の開口部１７、及び電池収容部１０の開口部１９において、電池２０の膨張を吸収（即ち、電池２０の膨張した部分を開口部１７，１９内に収容）することが可能になる。
【００５３】
従って、電池２０を表示パネル２の裏側に配置し、充放電に起因して電池２０が膨張した場合であっても、表示パネル２と電池２０とのクリアランスを確保することができるため、膨張した電池２０により表示パネル２が突き上げられるという不都合を防止することができる。その結果、電池２０の膨張に起因する、表示パネル２における滲み模様の発生、及び携帯電話機１の変形を防止することが可能になる。
【００５４】
また、電池２０の膨張に起因する滲み模様や変形の発生を防止するために、表示パネル２と電池２０とのクリアランスを大きくする必要がなくなるため、携帯電話機１の厚みが大きくなるという不都合を防止できる。その結果、小型化に対応することできる携帯電話機１を提供することが可能になる。
【００５５】
即ち、本実施形態においては、両面テープ３０に開口部１７を形成するとともに、金属板１３の電池収容部１０に開口部１９を形成することにより、電池２０の膨張を考慮したクリアランスを確保することができるとともに、携帯電話機１の小型化に対応することができる。
【００５６】
また、本実施形態においては、図３、図５に示すように、両面テープ３０は矩形枠状に形成されており、図２、図５に示すように、電池２０の裏面（即ち、金属板１３側の表面）の中央部分２０ａが露出するように、開口部１７が形成されている。
【００５７】
また、同様に、図２、図５に示すように、電池収容部１０の開口部１９は、電池２０の裏面の中央部分２０ａが露出するように形成されている。
【００５８】
一般に、充放電に起因して電池２０が膨張する場合、電池２０の中央部分が最も膨張するため、上述のごとく、開口部１７，１９により、電池２０の、金属板１３側の表面の中央部分２０ａを露出させることにより、充放電に起因して電池２０が膨張した場合であっても、膨張した電池２０により表示パネル２が突き上げられるという不都合をより一層防止することができる。
【００５９】
即ち、開口部１７，１９により、充放電に起因して電池２０が最も膨張する部分を露出させることができるため、膨張した電池２０により表示パネル２が突き上げられるという不都合をより一層防止することができる。
【００６０】
なお、開口部１７の面積（即ち、平面視において、電池２０と重なる開口部１７の面積）は、使用する携帯電話機１や電池２０等に対応させて変更することができ、例えば、電池２０の裏面の面積をＳ１、開口部１７の面積をＳ２とした場合、０．１Ｓ１≦Ｓ２≦０．８Ｓ１に設定することができる。
【００６１】
また、同様に、開口部１９の面積（即ち、平面視において、電池２０と重なる開口部１９の面積）は、使用する携帯電話機１や電池２０等に対応させて変更することができ、例えば、電池２０の裏面の面積をＳ１、開口部１９の面積をＳ３とした場合、０．１Ｓ１≦Ｓ３≦０．８Ｓ１に設定することができる。
【００６２】
また、両面テープ３０は、０．１ｍｍ程度の厚みを有しており、図５に示すように、平面視において、両面テープ３０は、電池２０の外形と同一形状を有する。
【００６３】
なお、本実施形態においては、図５に示すように、平面視において、両面テープ３０の開口部１７の外形は、電池収容部１０の開口部１９の外形と同一形状を有しており、開口部１７と開口部１９は、完全に重なるように配置されている。
【００６４】
次に、携帯電話機１の組み立て手順の一例について簡単に説明する。
【００６５】
まず、金属板１３が有する電池収容部１０の表側表面１０ａに、開口部１７が形成された両面テープ３０を設ける。この際、電池収容部１０に形成された開口部１９と、両面テープ３０の開口部１７とが完全に重なるように、両面テープ３０を配置する。
【００６６】
次いで、この両面テープ３０を介して、金属板１３に電池２０を貼り付けて、電池収容部１０に電池２０を収容する。この際、上述した、電池２０の、金属板１３側の表面の中央部分２０ａが、開口部１７，１９を介して露出するように、電池２０を配置する。
【００６７】
次いで、表側キャビネット４の表示用凹部３に、電池２０を表側から覆うように表示パネル２を嵌め込み、表示パネル２と金属板１３との間に電池２０を配置する。
【００６８】
次いで、表側キャビネット４に形成されたタッチパネル用凹部７に、両面テープ９を設け、この両面テープ９を介して、表側キャビネット４にタッチパネル８を貼り付けて、タッチパネル用凹部７に、表示パネル２を表側から覆うようにタッチパネル８を設ける。この際、両面テープ１８を介して、表示パネル２にタッチパネル８が貼り付けられる。
【００６９】
次いで、上述の凹凸により、表側キャビネット４と裏側キャビネット６とを嵌合し、表側キャビネット４と裏側キャビネット６とが嵌合した状態で、ネジ等を使用して締結することにより、表側キャビネット４に裏側キャビネット６を取り付ける。この際、裏側キャビネット６に収容された回路基板５は、金属板１３の裏側に配置される。
【００７０】
そして、裏側キャビネット６に、回路基板５を収容する裏側キャビネット６を覆うカバー２１を取り付けることにより、図２に示す携帯電話機１が製造される。
【００７１】
（第２の実施形態）
次に、本発明の第２の実施形態について説明する。図６は、本発明の第２の実施形態に係る携帯電話機の平面図であり、図７は、図６のＢ−Ｂ断面図である。また、図８は、本発明の第２の実施形態に係る携帯電話機における電池の配置を説明するための分解斜視図であり、図９は、本発明の第２の実施形態に係る携帯電話機における電池と金属板の位置関係を説明するための平面図である。
【００７２】
なお、本実施形態においては、上記第１の実施形態と同様の構成部分については同一の符号を付してその説明を省略する。
【００７３】
本実施形態の携帯電話機３５においては、上述の電池収容部１０の代わりに、金属板１３に電池用凹部３３が形成されている。また、電池用凹部３３の表側表面（即ち、図７に示す矢印Ｘ側の表面であって、携帯電話機３５の表示側の表面）３３ａには、接着剤層である両面テープ３４が設けられており、電池２０は、この両面テープ３４により、金属板１３に貼り付けられて、電池用凹部３３に電池２０が嵌め込まれている。そして、上述の第１の実施形態の場合と同様に、表示パネル２と金属板１３との間に電池２０が配置されている。
【００７４】
そして、上述の第１の実施形態の場合と同様に、図７、図８に示すように、両面テープ３４に開口部３７が形成されている点に特徴がある。
【００７５】
より具体的には、図７、図８に示すように、金属板１３と電池２０との間に設けられた両面テープ３４に開口部３７が形成され、図９に示すように、平面視において、開口部３７が、電池２０と重なるように配置されている。
【００７６】
また、本実施形態においては、図７、図８に示すように、金属板１３の電池用凹部３３に開口部３６が形成されており、図９に示すように、平面視において、開口部３６が、両面テープ３４の開口部３７、及び電池２０と重なるように配置されている点に特徴がある。
【００７７】
このような構成により、上述の第１の実施形態の場合と同様に、電池２０を表示パネル２の裏側に配置し、充放電に起因して電池２０が膨張した場合であっても、両面テープ３４の開口部３７、及び電池用凹部３３の開口部３６において、電池２０の膨張を吸収（即ち、電池２０の膨張した部分を開口部３６，３７内に収容）することが可能になる。
【００７８】
従って、電池２０を表示パネル２の裏側に配置し、充放電に起因して電池２０が膨張した場合であっても、表示パネル２と電池２０とのクリアランスを確保することができるため、膨張した電池２０により表示パネル２が突き上げられるという不都合を防止することができる。その結果、電池２０の膨張に起因する、表示パネル２における滲み模様の発生、及び携帯電話機３５の変形を防止することが可能になる。
【００７９】
また、電池２０の膨張に起因する滲み模様や変形の発生を防止するために、表示パネル２と電池２０とのクリアランスを大きくする必要がなくなるため、携帯電話機３５の厚みが大きくなるという不都合を防止できる。その結果、小型化に対応することできる携帯電話機３５を提供することが可能になる。
【００８０】
即ち、本実施形態においては、両面テープ３４に開口部３７を形成するとともに、金属板１３の電池用凹部３３に開口部３６を形成することにより、電池２０の膨張を考慮したクリアランスを確保することができるとともに、携帯電話機３５の小型化に対応することができる。
【００８１】
また、本実施形態においては、電池用凹部３３に嵌め込まれた電池２０の周囲を金属板１３により囲むことができるため、電池２０に対する外部からの衝撃を抑制して、電池２０の変形を抑制することが可能になる。
【００８２】
また、金属板１３を設けることによって、大型の電池２０を搭載することにより大型化した携帯電話機３５の剛性を向上させることができる。
【００８３】
また、本実施形態においても、上述の第１の実施形態の場合と同様に、図８、図９に示すように、両面テープ３４は矩形枠状に形成されており、図７、図９に示すように、電池２０の裏面（即ち、金属板１３側の表面）の中央部分２０ａが露出するように、開口部３７が形成されている。
【００８４】
また、同様に、図９に示すように、電池用凹部３３の開口部３６は、電池２０の裏面の中央部分２０ａが露出するように形成されている。
【００８５】
従って、開口部３６，３７により、充放電に起因して電池２０が最も膨張する部分を露出させることができるため、膨張した電池２０により表示パネル２が突き上げられるという不都合をより一層防止することができる。
【００８６】
なお、上述の開口部１７，１９と同様に、開口部３６の面積をＳ４とした場合、０．１Ｓ１≦Ｓ４≦０．８Ｓ１に設定することができ、開口部３７の面積をＳ５とした場合、０．１Ｓ１≦Ｓ５≦０．８Ｓ１に設定することができる。
【００８７】
また、両面テープ３４は、０．１ｍｍ程度の厚みを有しており、図９に示すように、平面視において、両面テープ３４は、電池２０の外形と同一形状を有する。
【００８８】
また、図９に示すように、平面視において、両面テープ３４の開口部３７の外形は、電池用凹部３３の開口部３６の外形と同一形状を有しており、開口部３６と開口部３７は、完全に重なるように配置されている。
【００８９】
次に、携帯電話機３５の組み立て手順の一例について簡単に説明する。
【００９０】
まず、金属板１３が有する電池用凹部３３の表側表面３３ａに、開口部３７が形成された両面テープ３４を設ける。この際、電池用凹部３３に形成された開口部３６と、両面テープ３４の開口部３７とが完全に重なるように、両面テープ３４を配置する。
【００９１】
次いで、この両面テープ３４を介して、金属板１３に電池２０を貼り付けて、電池用凹部３３に電池２０を嵌め込む。この際、上述した、電池２０の、金属板１３側の表面の中央部分２０ａが、開口部３６，３７を介して露出するように、電池２０を配置する。
【００９２】
次いで、上述の第１の実施形態の場合と同様にして、表側キャビネット４に、表示パネル２、タッチパネル８、及び回路基板５を収容する裏側キャビネット６を取り付け、この裏側キャビネット６を覆うカバー２１を取り付けることにより、図７に示す携帯電話機３５が製造される。
【００９３】
なお、上記実施形態は以下のように変更しても良い。
【００９４】
図１０、図１１に示すように、上記第２の実施形態において、電池用凹部３３の表側表面３３ａに両面テープ３４を設けず、電池２０を、直接、電池用凹部３３に嵌め込む構成としてもよい。このような構成においても、上述の第２の実施形態と同様の効果を得ることができる。
【００９５】
また、上記実施形態においては、保護パネルとしてタッチパネル８を例に挙げて説明したが、このタッチパネル８の代わりに、ガラスや透明な樹脂により形成された保護パネルを使用する構成としてもよい。
【００９６】
また、上記実施形態においては、携帯電話機を例に挙げて説明したが、本発明は、これに限定されず、例えば、ＰＨＳ（Personal Handy-phone System）、ＰＤＡ（Personal Digital Assistant）、パソコン、モバイルツール、電子辞書、ゲーム機等の表示パネルを有するものに適用することができる。
【産業上の利用可能性】
【００９７】
以上説明したように、本発明は、大型の電池と搭載した携帯端末に、特に有用である。
【符号の説明】
【００９８】
１    携帯電話機（携帯端末）
２    表示パネル 
３    表示用凹部  
４    表側キャビネット（キャビネット）
５    回路基板 
５ａ    基板
５ｂ    回路部品
６    裏側キャビネット 
７    タッチパネル用凹部 
８    タッチパネル（保護パネル） 
１０    電池収容部
１０ａ    電池収容部の表側表面
１３    金属板
１７    開口部（他の開口部）
１９    開口部
２０    電池
２０ａ  電池の、金属板側の表面の中央部分
２１    カバー
２２    ＴＦＴ基板 
２３    ＣＦ基板 
２４    液晶層 
２５    シール材 
３０    両面テープ（接着剤層）
３３    電池用凹部
３４    両面テープ（接着剤層）
３５    携帯電話機
３６    開口部  
３７    開口部（他の開口部） 
【図１】
2014017719.tif 000003
【図２】
2014017719.tif 000004
【図３】
2014017719.tif 000005
【図４】
2014017719.tif 000006
【図５】
2014017719.tif 000007
【図６】
2014017719.tif 000008
【図７】
2014017719.tif 000009
【図８】
2014017719.tif 000010
【図９】
2014017719.tif 000011
【図１０】
2014017719.tif 000012
【図１１】
2014017719.tif 000013